(57)【要約】  第１のコネクタと第２のコネクタとを容易に接続することができるコネクタセット及びコネクタセットの組み立て方法を提供することである。  本発明に係るコネクタセットは、第１のコネクタは、第１の位置決め部を有する第１の本体と、第１の保持部材であって、下側を向く第１の圧接部を有する第１の保持部材と、を含んでおり、第２のコネクタは、第２の位置決め部を有する第２の本体と、第１の位置と第２の位置との間を第２の本体に対して移動可能に構成されている第２の保持部材であって、上側を向く第２の圧接部を有する第２の保持部材と、を含んでおり、第１の位置決め部と第２の位置決め部とは、互いに係合することにより第１のコネクタと第２のコネクタとの前後方向及び左右方向における位置決めを行い、第２の保持部材が第２の位置にある場合には、第１の圧接部と第２の圧接部とが圧接すること、を特徴とする。
2017082109.tif 000002
【特許請求の範囲】
【請求項１】
光ファイバと光素子とを光学的に結合させるための第１のコネクタ及び第２のコネクタを備えたコネクタセットであって、
前記第２のコネクタが前記第１のコネクタに対して接続方向の一方側から接触しており、
前記第１のコネクタは、
第１の位置決め部を有する第１の本体と、
前記第１の本体に対する相対的な位置が固定されている第１の保持部材であって、前記接続方向の他方側を向く第１の圧接部を有する第１の保持部材と、
を含んでおり、
前記第２のコネクタは、
第２の位置決め部を有する第２の本体と、
前記接続方向に直交するスライド方向に並ぶ第１の位置と第２の位置との間を前記第２の本体に対して移動可能に構成されている第２の保持部材であって、前記接続方向の一方側を向く第２の圧接部を有する第２の保持部材と、
を含んでおり、
前記第１の位置決め部と前記第２の位置決め部とは、互いに係合することにより前記第１のコネクタと前記第２のコネクタとの前記接続方向に直交する方向における位置決めを行い、
前記第２の保持部材が前記第１の位置にある場合には、前記第１の圧接部と前記第２の圧接部とが接触しておらず、
前記第２の保持部材が前記第２の位置にある場合には、前記第１の圧接部と前記第２の圧接部とが圧接すること、
を特徴とするコネクタセット。
【請求項２】
前記第１のコネクタは、
前記接続方向の一方側を向く第１の主面及び該接続方向の他方側を向く第２の主面を有する第１の基板を、
更に備えており、
前記第１の本体は、前記第１の主面上に設けられており、
前記第１の保持部材は、前記第１の基板に固定されることにより、前記第１の本体に対する相対的な位置が固定されていること、
を特徴とする請求項１に記載のコネクタセット。
【請求項３】
前記第１のコネクタは、
前記第１の主面上に実装され、発光又は受光する前記光素子を、
更に備えており、
前記第１の本体は、前記光素子を覆っており、
前記第２のコネクタには、前記光ファイバが接続されていること、
を特徴とする請求項２に記載のコネクタセット。
【請求項４】
前記接続方向及び前記スライド方向に直交する方向を幅方向と定義し、
前記第１の保持部材は、前記第１の本体よりも前記幅方向の一方側に位置し、かつ、前記第１の基板から前記接続方向の一方側に向かって延在する第１の支持部、及び、該第１の本体よりも該幅方向の一方側であって、かつ、前記第１の基板に対して該接続方向の一方側に位置し、該第１の支持部から前記幅方向の他方側に向かって延在する第１のスプリング部を有しており、
前記第１の圧接部は、前記第１のスプリング部における前記接続方向の他方側を向く面であり、
前記第２の保持部材は、前記第２の本体から前記幅方向の一方側に向かって延在する第２のスプリング部を有しており、
前記第２の圧接部は、前記第２のスプリング部における前記接続方向の一方側を向く面であること、
を特徴とする請求項３に記載のコネクタセット。
【請求項５】
前記光ファイバは、前記スライド方向に沿って延在していること、
を特徴とする請求項４に記載のコネクタセット。
【請求項６】
前記第１の保持部材は、前記接続方向の他方側を向く第３の圧接部を更に有しており、
前記第２の保持部材は、前記接続方向の一方側を向く第４の圧接部を更に有しており、
前記第２の保持部材が前記第１の位置にある場合には、前記第３の圧接部と前記第４の圧接部とが接触しておらず、
前記第２の保持部材が前記第２の位置にある場合には、前記第３の圧接部と前記第４の圧接部とが圧接し、
前記第１の保持部材は、前記第１の本体よりも前記幅方向の他方側に位置し、かつ、前記第１の基板から前記接続方向の一方側に向かって延在する第２の支持部、及び、該第１の本体よりも該幅方向の他方側であって、かつ、前記第１の基板に対して該接続方向の一方側に位置し、該第２の支持部から前記幅方向の一方側に向かって延在する第３のスプリング部を有しており、
前記第３の圧接部は、前記第３のスプリング部における前記接続方向の他方側を向く面であり、
前記第２の保持部材は、前記第２の本体から前記幅方向の他方側に向かって延在する第４のスプリング部を有しており、
前記第４の圧接部は、前記第４のスプリング部における前記接続方向の一方側を向く面であること、
を特徴とする請求項４又は請求項５のいずれかに記載のコネクタセット。
【請求項７】
前記第２の位置は、前記第１の位置に対して前記スライド方向の一方側に位置しており、
前記第２の保持部材は、前記第２のスプリング部における前記スライド方向の一方側の端部に設けられ、前記接続方向の他方側に向かって傾斜しているガイド部を更に有していること、
を特徴とする請求項４ないし請求項６のいずれかに記載のコネクタセット。
【請求項８】
前記第１の本体は、前記接続方向の一方側を向く第１の対向面を有し、
前記第２の本体は、前記接続方向の他方側を向く第２の対向面を有し、
前記第１の対向面と前記第２の対向面とは対向し、
前記第２の保持部材が前記第２の位置にある場合に、前記第１の対向面及び前記第２の対向面は、前記接続方向から見たときに、前記第１のスプリング部及び前記第３のスプリング部の間に位置していること、
を特徴とする請求項６に記載のコネクタセット。
【請求項９】
前記第１の保持部材は、前記第１の本体よりも前記幅方向の一方側に位置し、かつ、前記第１の支持部から該幅方向の他方側に向かって延在する第１の固定部を更に有しており、
前記第１の固定部は、前記第２の主面に固定されていること、
を特徴とする請求項４ないし請求項８のいずれかに記載のコネクタセット。
【請求項１０】
前記第１のコネクタは、第２の基板に実装され、
前記第２の主面は、前記第２の基板への実装面であること、
を特徴とする請求項９に記載のコネクタセット。
【請求項１１】
前記第１の位置決め部又は前記第２の位置決め部の一方は、前記接続方向から見たときに、仮想の正方形の角に配置された凸部であり、
前記第１の位置決め部又は前記第２の位置決め部の他方は、前記接続方向から見たときに、前記凸部に倣った形状をなす凹部であること、
を特徴とする請求項１ないし請求項１０のいずれかに記載のコネクタセット。
【請求項１２】
請求項１ないし請求項１１のいずれかに記載のコネクタセットの組み立て方法であって、
前記第１の位置決め部と前記第２の位置決め部とを係合させる第１のステップと、
前記第２の保持部材を前記第１の位置から前記第２の位置へと移動させる第２のステップと、
を備えていること、
を特徴とするコネクタセットの組み立て方法。
【発明の詳細な説明】
【技術分野】
【０００１】
本発明は、光素子と光ファイバとを光学的に結合させるコネクタセット及びコネクタセットの組み立て方法に関する。
【背景技術】
【０００２】
従来のコネクタセットに関する発明としては、例えば、特許文献１に記載のコネクタセットが知られている。図１２は、特許文献１に記載のコネクタセット５００の外観斜視図である。【０００３】
コネクタセット５００は、プラグ５０２、レセプタクル５０４、板ばね５０６及びねじ５０８，５１０を備えている。プラグ５０２は、光ファイバの先端に設けられている。レセプタクル５０４は、図示しない回路基板上に設けられており、図示しない光素子を内蔵している。プラグ５０２とレセプタクル５０４とは、光ファイバと光素子とが光学的に結合するように、互いに位置決めされた状態で接続される。位置決めは、プラグ５０２の下面に設けられた突起と、レセプタクル５０４の上面に設けられた溝とが係合することにより行われる。【０００４】
また、板ばね５０６は、プラグ５０２上に取り付けられ、ねじ５０８，５１０により回路基板に固定される。これにより、プラグ５０２が板ばね５０６によりレセプタクル５０４に押し付けられている。【０００５】
ところで、特許文献１に記載のコネクタセット５００では、板ばね５０６をねじ５０８，５１０により固定することによって、プラグ５０２がレセプタクル５０４に固定される。そのため、プラグ５０２とレセプタクル５０４との組み立てに手間がかかるという問題があった。
【先行技術文献】
【特許文献】
【０００６】
【特許文献１】国際公開第２０１３／１５５２６３号公報
【発明の概要】
【発明が解決しようとする課題】
【０００７】
そこで、本発明の目的は、第１のコネクタと第２のコネクタとを容易に接続することができるコネクタセット及びコネクタセットの組み立て方法を提供することである。
【課題を解決するための手段】
【０００８】
本発明の一形態に係るコネクタセットは、光ファイバと光素子とを光学的に結合させるための第１のコネクタ及び第２のコネクタを備えたコネクタセットであって、前記第２のコネクタが前記第１のコネクタに対して接続方向の一方側から接触しており、前記第１のコネクタは、第１の位置決め部を有する第１の本体と、前記第１の本体に対する相対的な位置が固定されている第１の保持部材であって、前記接続方向の他方側を向く第１の圧接部を有する第１の保持部材と、を含んでおり、前記第２のコネクタは、第２の位置決め部を有する第２の本体と、前記接続方向に直交するスライド方向に並ぶ第１の位置と第２の位置との間を前記第２の本体に対して移動可能に構成されている第２の保持部材であって、前記接続方向の一方側を向く第２の圧接部を有する第２の保持部材と、を含んでおり、前記第１の位置決め部と前記第２の位置決め部とは、互いに係合することにより前記第１のコネクタと前記第２のコネクタとの前記接続方向に直交する方向における位置決めを行い、前記第２の保持部材が前記第１の位置にある場合には、前記第１の圧接部と前記第２の圧接部とが接触しておらず、前記第２の保持部材が前記第２の位置にある場合には、前記第１の圧接部と前記第２の圧接部とが圧接すること、を特徴とする。【０００９】
本発明の一形態に係るコネクタセットの組み立て方法は、前記コネクタセットの組み立て方法であって、前記第１の位置決め部と前記第２の位置決め部とを係合させる第１のステップと、前記第２の保持部材を前記第１の位置から前記第２の位置へと移動させる第２のステップと、を備えていること、を特徴とする。
【発明の効果】
【００１０】
本発明によれば、第１のコネクタと第２のコネクタとを容易に接続することができる。
【図面の簡単な説明】
【００１１】
【図１】図１は、光伝送モジュール１０の外観斜視図である。
【図２】図２は、図１のＡ−Ａにおける断面構造図である。
【図３Ａ】図３Ａは、レセプタクル２０の外観斜視図である。
【図３Ｂ】図３Ｂは、レセプタクル２０の外観斜視図である。
【図４Ａ】図４Ａは、レセプタクル２０の分解斜視図である。
【図４Ｂ】図４Ｂは、レセプタクル２０の分解斜視図である。
【図５】図５は、プラグ５０の外観斜視図である。
【図６】図６は、プラグ５０の分解斜視図である。
【図７】図７は、プラグ５０をレセプタクル２０に装着する際の外観斜視図である。
【図８】図８は、プラグ５０をレセプタクル２０に装着する際の外観斜視図である。
【図９Ａ】図９Ａは、光伝送モジュール１０のＢ−Ｂにおける断面構造図である。
【図９Ｂ】図９Ｂは、実施例に係る光伝送モジュール１０'の断面構造図である。
【図１０】図１０は、プラグ５０ａの外観斜視図である。
【図１１】図１１は、光伝送モジュール１０ａの断面構造図である。
【図１２】図１２は、特許文献１に記載のコネクタセット５００の外観斜視図である。
【発明を実施するための形態】
【００１２】
（光伝送モジュールの構成）
以下に、一実施形態に係る光伝送モジュールの構成について、図面を参照しながら説明する。図１は、光伝送モジュール１０の外観斜視図である。図２は、図１のＡ−Ａにおける断面構造図である。図２では、レセプタクルカバー２６、プラグカバー５４及びスライダ５６については省略してある。以下では、レセプタクル２０とプラグ５０とが並ぶ方向を上下方向（接続方向の一例）とする。レセプタクル２０からプラグに５０に向かう方向を上側（接続方向の一方側の一例）とし、プラグに５０からレセプタクル２０に向かう方向を下側（接続方向の他方側の一例）とする。また、後述する、スライダ５６が移動する方向を前後方向（スライド方向の一例）とする。更に、上下方向及び左右方向に直交する方向を左右方向（幅方向の一例）とする。なお、方向の定義は一例であり、前記方向の定義に限らない。
【００１３】
光伝送モジュール１０は、図１及び図２に示すように、レセプタクル２０（第１のコネクタの一例）、プラグ５０（第２のコネクタの一例）及び光ファイバ１００を備えている。プラグ５０は、レセプタクル２０に対して上側から接触している。光伝送モジュール１０は、図２に示すように、光ファイバ１００と後述する発光素子３０又は受光素子３２（光素子の一例）とを光学的に結合させるコネクタセットである。
【００１４】
まず、レセプタクル２０の構成について図面を参照しながら説明する。図３Ａ及び図３Ｂは、レセプタクル２０の外観斜視図である。図４Ａ及び図４Ｂは、レセプタクル２０の分解斜視図である。
【００１５】
レセプタクル２０は、図２、図３Ａ、図３Ｂ、図４Ａ及び図４Ｂに示すように、レセプタクル本体２２（第１の本体の一例）、回路基板２４（第１の基板の一例）、レセプタクルカバー２６（第１の保持部材の一例）、複数の発光素子３０、複数の受光素子３２及びＩＣ（図示せず）を含んでいる。
【００１６】
回路基板２４は、主面Ｓ１，Ｓ２を有する長方形状の板である。主面Ｓ１（第１の主面の一例）は上側を向いており、主面Ｓ２（第２の主面の一例）は下側を向いている。回路基板２４は、ガラス基板２４ａ及び樹脂モールド２４ｂを有している。
【００１７】
複数の発光素子３０及び複数の受光素子３２は、図２に示すように、ガラス基板２４ａの下側の主面上に実装されている。複数の発光素子３０及び複数の受光素子３２は、上側から見たときに、ガラス基板２４ａの中央近傍において左右方向に一列に並んでいる。図２では、発光素子３０又は受光素子３２が設けられている各位置における左右方向に直交する断面が示されている。複数の発光素子３０の発光面又は複数の受光素子３２の受光面は、上側を向いている。発光素子３０は、例えば、ＶＣＳＥＬである。受光素子３２は、例えば、フォトダイオード（ＰＤ）である。
【００１８】
ＩＣは、発光素子３０のＤｒｉｖｅｒ  ＩＣ及び受光素子３２のＲｅｃｅｉｖｅｒ  ＩＣであり、ガラス基板２４ａの下側の主面上に実装されている。回路基板２４は、図示しない配線及び複数の外部端子３６を更に有している。複数の外部端子３６は、ガラス基板２４ａの下側の主面の外縁に沿って並ぶように設けられている。配線は、ガラス基板２４ａの下側の主面に形成されており、複数の発光素子３０及び複数の受光素子３２とドライバＩＣと複数の外部端子３６とを電気的に接続している。
【００１９】
樹脂モールド２４ｂは、ガラス基板２４ａの下側の主面の全面を覆っている。これにより、複数の発光素子３０、複数の受光素子３２及びＩＣは、樹脂モールド２４ｂ内に埋没している。ただし、複数の外部端子３６は、樹脂モールド２４ｂから露出している。
【００２０】
また、回路基板２４は、前側の辺、右側の辺及び左側の辺近傍の領域の厚みが残余の領域の厚みよりも薄くなる構造を有している。より詳細には、前側の辺、右側の辺及び左側の辺近傍の領域における樹脂モールド２４ｂの厚みが残余の領域における樹脂モールド２４ｂの厚みよりも薄くなっている。すなわち、樹脂モールド２４ｂが薄くなった領域が角張ったＵ字型をなしている。なお、前側の辺、右側の辺及び左側の辺近傍の領域における樹脂モールド２４ｂの厚みと残余の領域における樹脂モールド２４ｂの厚みとの差は、後述するレセプタクルカバー２６を構成する金属板の厚みと略一致している。
【００２１】
レセプタクル本体２２は、図３Ａ、図３Ｂ、図４Ａ及び図４Ｂに示すように、直方体状の透明な樹脂部材であり、上面Ｓ２１（第１の対向面の一例）、下面、右面、左面、前面及び後面を有している。レセプタクル本体２２の材料は、例えば、透光性を有するガラスである。ただし、レセプタクル本体２２の材料は、エポキシ系樹脂等の樹脂であってもよい。レセプタクル本体２２は、回路基板２４の主面Ｓ１の中央に実装され、位置決め部２８（第１の位置決め部の一例）及び複数のレンズ３４を有している。
【００２２】
上面Ｓ２１は、上側を向く面である。また、レセプタクル本体２２の下面には、図２に示すように、凹部Ｇが設けられている。凹部Ｇは、上側から見たときに、左右方向に延在しており、複数の発光素子３０及び複数の受光素子３２と重なっている。すなわち、レセプタクル本体２２は、複数の発光素子３０及び複数の受光素子３２を上側から覆っている。
【００２３】
また、複数のレンズ３４は、複数の発光素子３０及び複数の受光素子３２に対応するように左右方向に一列に並ぶように設けられており、凹部Ｇの底面から下側に向かって突出する凸レンズである。レンズ３４は、発光素子３０から出力された光Ｂを平行光にコリメートする。また、レンズ３４は、平行光を受光素子３２に集光する。
【００２４】
位置決め部２８は、上面Ｓ２１に設けられている位置決め溝２８ａ〜２８ｄを含んでいる。位置決め溝２８ａは、上面Ｓ２１の右側の辺の中央近傍において左右方向に延在する溝（凹部）である。位置決め溝２８ｂは、上面Ｓ２１の左側の辺の中央近傍において左右方向に延在する溝（凹部）である。位置決め溝２８ｃは、上面Ｓ２１の前側の辺の中央近傍において前後方向に延在する溝（凹部）である。位置決め溝２８ｄは、上面Ｓ２１の後ろ側の辺の中央近傍において前後方向に延在する溝（凹部）である。これにより、位置決め溝２８ａ〜２８ｄ（すなわち、位置決め部２８）は、上側から見たときに、前後方向及び左右方向に延在する対角線を有する仮想の正方形の角に配置されている。
【００２５】
レセプタクルカバー２６は、一枚の金属板（例えば、ＳＵＳ）が折り曲げ加工されることにより作製されており、レセプタクル本体２２に対する相対的な位置が固定されている。レセプタクルカバー２６は、左面部２６ａ、上面部２６ｂ，２６ｅ，２６ｈ、下面部２６ｃ，２６ｆ，２６ｉ、右面部２６ｄ及び前面部２６ｇを含んでいる。
【００２６】
左面部２６ａ（第１の支持部の一例）は、レセプタクル本体２２よりも左側（幅方向の一方側の一例）に位置し、かつ、回路基板２４から上側に向かって延在している。更に、左面部２６ａは、回路基板２４の左側の辺の全体に沿って前後方向に延在している。
【００２７】
下面部２６ｃ（第１の固定部の一例）は、レセプタクル本体２２よりも左側に位置し、かつ、左面部２６ａから右側（幅方向の他方側の一例）に向かって延在している。すなわち、下面部２６ｃは、左面部２６ａの下端から右側に向かって折れ曲がっており、回路基板２４の左側の辺の全体に沿って前後方向に延在している。また、下面部２６ｃは、回路基板２４の主面Ｓ２に固定されており、より詳細には、下面部２６ｃは、主面Ｓ２の左側の辺近傍において回路基板２４の厚みが薄くなっている領域に、シリコン系接着剤等により固定されている。
【００２８】
上面部２６ｂ（第１のスプリング部の一例）は、レセプタクル本体２２よりも左側であって、かつ、回路基板２４に対して上側に位置し、左面部２６ａから右側に向かって延在している。より詳細には、上面部２６ｂは、左面部２６ａの上端から右側に向かって折れ曲がっており、回路基板２４の左側の辺の前半分に沿って前後方向に延在している。上面部２６ｂは、左面部２６ａに左端を支持されることにより、右端が上下に動くように弾性変形することができる。ここで、レセプタクルカバー２６は、下側を向く圧接面Ｓ１１（第１の圧接部の一例）を有している。本実施形態では、圧接面Ｓ１１は、上面部２６ｂにおける下側を向く面である。
【００２９】
右面部２６ｄ（第２の支持部の一例）は、レセプタクル本体２２よりも右側に位置し、かつ、回路基板２４から上側に向かって延在している。更に、右面部２６ｄは、回路基板２４の右側の辺の全体に沿って前後方向に延在している。
【００３０】
下面部２６ｆ（第２の固定部の一例）は、レセプタクル本体２２よりも右側に位置し、かつ、右面部２６ｄから左側に向かって延在している。すなわち、下面部２６ｆは、右面部２６ｄの下端から左側に向かって折れ曲がっており、回路基板２４の右側の辺の全体に沿って前後方向に延在している。また、下面部２６ｆは、回路基板２４の主面Ｓ２に固定されており、より詳細には、下面部２６ｆは、主面Ｓ２の右側の辺近傍において回路基板２４の厚みが薄くなっている領域に、シリコン系接着剤等により固定されている。
【００３１】
上面部２６ｅ（第３のスプリング部の一例）は、レセプタクル本体２２よりも右側であって、かつ、回路基板２４に対して上側に位置し、右面部２６ｄから左側に向かって延在している。より詳細には、上面部２６ｅは、右面部２６ｄの上端から左側に向かって折れ曲がっており、回路基板２４の右側の辺の前半分に沿って前後方向に延在している。上面部２６ｅは、右面部２６ｄに右端を支持されることにより、左端が上下に動くように弾性変形することができる。ここで、レセプタクルカバー２６は、下側を向く圧接面Ｓ１２（第３の圧接部の一例）を有している。本実施形態では、圧接面Ｓ１２は、上面部２６ｅにおける下側を向く面である。
【００３２】
前面部２６ｇは、レセプタクル本体２２よりも前側に位置し、かつ、回路基板２４から上側に向かって延在している。更に、前面部２６ｇは、回路基板２４の前側の辺の中央部分に沿って左右方向に延在している。
【００３３】
下面部２６ｉは、レセプタクル本体２２よりも前側に位置し、かつ、前面部２６ｇから後ろ側に向かって延在している。すなわち、下面部２６ｉは、前面部２６ｇの下端から前側に向かって折れ曲がっており、回路基板２４の前側の辺の中央部分に沿って左右方向に延在している。また、下面部２６ｉは、回路基板２４の主面Ｓ２に固定されており、より詳細には、主面Ｓ２の前側の辺近傍において回路基板２４の厚みが薄くなっている領域に、シリコン系接着剤等により固定されている。
【００３４】
上面部２６ｈは、レセプタクル本体２２よりも前側であって、かつ、回路基板２４に対して上側に位置し、前面部２６ｇから後ろ側に向かって延在している。より詳細には、上面部２６ｈは、前面部２６ｇの上端から後ろ側に向かって折れ曲がっており、回路基板２４の前側の辺の中央部分に沿って左右方向に延在している。また、上面部２６ｈの左右両端はそれぞれ、上面部２６ｂ，２６ｅに接続されている。
【００３５】
以上のように構成されたレセプタクルカバー２６は、回路基板２４にシリコン系接着剤等により固定されることにより、レセプタクル本体２２に対する相対的な位置が固定されている。ただし、下面部２６ｃ，２６ｆ，２６ｉは、回路基板２４の厚みが薄くなっている領域に接着剤等により固定されている。そのため、回路基板２４の下面及び下面部２６ｃ，２６ｆ，２６ｉとは、実質的に１つの平面を構成している。
【００３６】
更に、上面部２６ｂ，２６ｅ，２６ｈは、上側から見たときに、回路基板２４の左側の辺、右側の辺及び前側の辺に沿って延在している。そのため、レセプタクルカバー２６は、上側から見たときに、レセプタクル本体２２とは重なっていない。また、回路基板２４の後ろ側の辺近傍にはレセプタクルカバー２６が存在していないので、レセプタクルカバー２６は、後ろ側から見たときに、レセプタクル本体２２とは重なっていない。
【００３７】
次に、プラグ５０の構成について図面を参照しながら説明する。図５は、プラグ５０の外観斜視図である。図６は、プラグ５０の分解斜視図である。
【００３８】
プラグ５０は、図５及び図６に示すように、プラグ本体５２（第２の本体の一例）、プラグカバー５４及びスライダ（第２の保持部材の一例）５６を含んでいる。プラグ５０には、光ファイバ１００が接続されている。光ファイバ１００は、プラグ５０の後端から前後方向に沿って延在している。
【００３９】
プラグ本体５２は、直方体状の透明な樹脂部材であり、上面、下面、右面、左面、前面及び後面を有している。プラグ本体５２の材料は、例えば、透光性を有するエポキシ系樹脂である。光ファイバ１００は、プラグ本体５２の後面から挿入されている。また、プラグ本体５２は、図２、図５及び図６に示すように、位置決め部５８及び全反射面Ｍを有している。
【００４０】
下面は、下側を向く面であり、下面の前半分を特に、対向面Ｓ２２（第２の対向面の一例）と呼ぶ。また、プラグ本体５２の上面には、図２に示すように、全反射面Ｍが設けられている。全反射面Ｍは、前斜め上側を向く法線ベクトルを有する平面であり、プラグ本体５２の上面の一部が窪むことにより形成されている。全反射面Ｍは、上側から見たときに、複数の発光素子３０、複数の受光素子及び複数のレンズ３４と重なっている。更に、全反射面Ｍは、前側から見たときに、光ファイバ１００の先端と重なっている。全反射面Ｍは、複数の発光素子３０から出射され、複数のレンズ３４を通過した光Ｂを光ファイバ１００に向けて反射する。また、全反射面Ｍは、光ファイバ１００から出射された光Ｂを複数のレンズ３４及び複数の受光素子３２に向けて反射する。
【００４１】
なお、全反射面Ｍは、曲面形状をなすことにより、レンズとしての機能も併せ持っていてもよい。すなわち、発光素子３０からレンズ３４を通過した光Ｂを全反射面Ｍにより集光して光ファイバ１００に入射させてもよい。また、光ファイバ１００からの出射光を、全反射面Ｍによりコリメートしてもよい。
【００４２】
位置決め部５８（第２の位置決め部の一例）は、対向面Ｓ２２に設けられている位置決め突起５８ａ〜５８ｄを含んでいる。位置決め突起５８ａ（凸部）は、対向面Ｓ２２の右側の辺の中央近傍において左右方向に延在する突起である。位置決め突起５８ｂ（凸部）は、対向面Ｓ２２の左側の辺の中央近傍辺において左右方向に延在する突起である。位置決め突起５８ｃ（凸部）は、対向面Ｓ２２の前側の辺の中央近傍において前後方向に延在する突起である。位置決め突起５８ｄ（凸部）は、対向面Ｓ２２の後ろ側の辺の中央近傍において前後方向に延在する突起である。これにより、位置決め突起５８ａ〜５８ｄ（すなわち、位置決め部５８）は、下側から見たときに、前後方向及び左右方向に延在する対角線を有する仮想の正方形の角に配置されている。そして、位置決め溝２８ａ〜２８ｄは、上側から見たときに、位置決め突起５８ａ〜５８ｄに倣った形状をなしている。
【００４３】
以上のような位置決め部２８，５８を光伝送モジュール１０が有することにより、上面Ｓ２１と対向面Ｓ２２とが対向することにより、位置決め部２８（位置決め溝２８ａ〜２８ｄ）と位置決め部５８（位置決め突起５８ａ〜５８ｄ）とが係合する。そして、位置決め部２８と位置決め部５８とは、互いに係合することにより、レセプタクル２０とプラグ５０との前後方向及び左右方向（接続方向に直交する方向の一例）における位置決めを行う。
【００４４】
プラグカバー５４は、一枚の金属板（例えば、ＳＵＳ）が折り曲げ加工されることにより作製されており、プラグ本体５２の上面、右面及び左面を覆っている。プラグカバー５４は、上面部５４ａ、左面部５４ｂ、右面部５４ｃ、抜け止部５４ｄ，５４ｅ，５４ｆ，５４ｇを含んでいる。
【００４５】
上面部５４ａは、プラグ本体５２の上面の略全面を覆っており、長方形状をなしている。左面部５４ｂは、プラグ本体５２の左面の略全面を覆っており、長方形状をなしている。左面部５４ｂは、上面部５４ａの左側の辺から下側に向かって折り曲げられている。右面部５４ｃは、プラグ本体５２の右面の略全面を覆っており、長方形状をなしている。右面部５４ｃは、上面部５４ａの右側の辺から下側に向かって折り曲げられている。
【００４６】
抜け止部５４ｄは、左面部５４ｂの前端近傍に設けられており、左側に突出する突起である。抜け止部５４ｅは、右面部５４ｃの前端近傍に設けられており、右側に突出する突起である。抜け止部５４ｆは、左面部５４ｂの後ろ側の辺から左後ろ側に向かって突出している。抜け止部５４ｇは、右面部５４ｃの後ろ側の辺から右後ろ側に向かって突出している。
【００４７】
以上のようなプラグカバー５４は、プラグ本体５２に対してシリコン系接着剤等により固定される。
【００４８】
スライダ５６は、一枚の金属板（例えば、ＳＵＳ）が折り曲げ加工されることにより作製されており、前後方向（スライド方向の一例）に並ぶ第１の位置と第２の位置との間をプラグ本体５２に対して移動可能に構成されている。第２の位置は、第１の位置に対して前側（スライド方向の一方側）に位置している。換言すれば、第１の位置は、第２の位置に対して後ろ側（スライド方向の他方側）に位置している。スライダ５６は、上面部５６ａ、左面部５６ｂ、張り出し部５６ｃ，５６ｇ、ガイド部５６ｄ，５６ｈ、下面部５６ｅ，５６ｉ及び右面部５６ｆを含んでいる。
【００４９】
上面部５６ａは、上面部５４ａ上に設けられ、長方形状をなしている。上面部５６ａの左右方向の幅は上面部５４ａの左右方向の幅と実質的に等しく、上面部５６ａの前後方向の長さは上面部５４ａの前後方向の長さより短い。
【００５０】
左面部５６ｂは、左面部５４ｂの左面の一部を覆っている。具体的には、左面部５６ｂの後ろ半分は、左面部５４ｂ及びプラグ本体５２の下端まで到達している。一方、左面部５６ｂの前半分は、左面部５４ｂの上下方向の中央まで到達しており、プラグ本体５２の下端まで到達していない。下面部５６ｅは、左面部５６ｂの後ろ半分の下端から右側に折り曲げられている。これにより、下面部５６ｅは、プラグ本体５２の下面に回り込んでいる。
【００５１】
張り出し部５６ｃ（第２のスプリング部の一例）は、プラグ本体５２から左側に向かって延在しており、具体的には、左面部５６ｂの前半分の下端から左側に向かって延在している。張り出し部５６ｃは、左面部５６ｂの前半分の下端から左側に向かって折れ曲がっている。張り出し部５６ｃは、左面部５６ｂに右端を支持されることにより、左端が上下に動くように弾性変形することができる。ここで、スライダ５６は、上側を向く圧接面Ｓ１３（第２の圧接部の一例・図１参照）を有している。本実施形態では、圧接面Ｓ１３は、張り出し部５６ｃにおける上側を向く面である。ガイド部５６ｄは、張り出し部５６ｃの前側の端部に設けられており、前側に行くにしたがって下側に向かうように傾斜している。
【００５２】
右面部５６ｆは、右面部５４ｃの右面の一部を覆っている。具体的には、右面部５６ｆの後ろ半分は、右面部５４ｃ及びプラグ本体５２の下端まで到達している。一方、右面部５６ｆの前半分は、右面部５４ｃの上下方向の中央まで到達しており、プラグ本体５２の下端まで到達していない。下面部５６ｉは、右面部５６ｆの後ろ半分の下端から左側に折り曲げられている。これにより、下面部５６ｉは、プラグ本体５２の下面に回り込んでいる。このように、スライダ５６は、プラグ本体５２及びプラグカバー５４の周囲を囲むことにより、プラグ本体５２及びプラグカバー５４から脱落しないように構成されている。
【００５３】
張り出し部５６ｇ（第４のスプリング部の一例）は、プラグ本体５２から右側に向かって延在しており、具体的には、右面部５６ｆの前半分の下端から右側に向かって延在している。より詳細には、張り出し部５６ｇは、右面部５６ｆの前半分の下端から右側に向かって折れ曲がっている。張り出し部５６ｇは、右面部５６ｆに左端を支持されることにより、右端が上下に動くように弾性変形することができる。ここで、スライダ５６は、上側を向く圧接面Ｓ１４（第４の圧接部の一例・図１参照）を有している。本実施形態では、圧接面Ｓ１４は、張り出し部５６ｇにおける上側を向く面である。ガイド部５６ｈは、張り出し部５６ｇの前側の端部に設けられており、前側に行くにしたがって下側に向かうように傾斜している。
【００５４】
（レセプタクルとプラグとの接続）
以下に、レセプタクル２０とプラグ５０との接続について図面を参照しながら説明する。図７及び図８は、プラグ５０をレセプタクル２０に装着する際の外観斜視図である。図９は、光伝送モジュール１０のＢ−Ｂにおける断面構造図である。
【００５５】
まず、組立者は、図７に示すように、レセプタクル２０上にプラグ５０を位置させる。このとき、スライダ５６は、プラグ本体５２に対して第１の位置に位置している。第１の位置とは、本実施形態に係る光伝送モジュール１０においては、位置決め部５８よりも後ろ側の位置である。第１の位置にスライダ５６が位置すると、左面部５６ｂの後端及び右面部５６ｆの後端がそれぞれ抜け止部５４ｆ，５４ｇに接触する。
【００５６】
次に、組立者は、図８に示すように、プラグ５０を下降させて、上面Ｓ２１と対向面Ｓ２２とを対向させる。これにより、位置決め部２８と位置決め部５８とが係合し、レセプタクル２０とプラグ５０との前後方向及び左右方向の位置決めが行われる（第１のステップの一例）。
【００５７】
なお、図８では、スライダ５６は、第１の位置に位置している。このようにスライダ５６が第１の位置に位置する場合には、張り出し部５６ｃ，５６ｇはそれぞれ、上面部２６ｂ，２６ｅには接触していない。そのため、圧接面Ｓ１３，Ｓ１４はそれぞれ、圧接面Ｓ１１，Ｓ１２と接触していない。
【００５８】
次に、組立者は、図１に示すように、スライダ５６を第１の位置から前側に移動させて第２の位置に移動させる（第２のステップの一例）。スライダ５６が第２の位置にある場合には、上面Ｓ２１及び対向面Ｓ２２は、上側から見たときに、張り出し部５６ｃ，５６ｇの間に位置している。更に、スライダ５６が第２の位置にある場合には、左面部５６ｂの前端及び右面部５６ｆの前端がそれぞれ抜け止部５４ｄ，５４ｅに接触する。
【００５９】
ここで、スライダ５６の移動についてより詳細に説明する。図８に示すように、張り出し部５６ｃ，５６ｇの圧接面Ｓ１３，Ｓ１４はそれぞれ、上面部２６ｂ，２６ｅの圧接面Ｓ１１，Ｓ１２よりも僅かに上側に位置している。したがって、スライダ５６を第１の位置から第２の位置に移動させると、張り出し部５６ｃ，５６ｇが上面部２６ｂ，２６ｅに引っかかる。そこで、組立者は、張り出し部５６ｃ，５６ｇを僅かに押し下げた状態で、スライダ５６を移動させる。これにより、張り出し部５６ｃ，５６ｇが上面部２６ｂ，２６ｅの下側に位置するようになる。そして、組立者が張り出し部５６ｃ，５６ｇの押し下げを解除すると、張り出し部５６ｃ，５６ｇが上側に復帰し、圧接面Ｓ１１，Ｓ１２がそれぞれ圧接面Ｓ１３，Ｓ１４に圧接する。その結果、図９Ａに示すように、張り出し部５６ｃ，５６ｇが圧接により受ける下側に向かう力は、上面部５４ａに伝達される。これにより、プラグ本体５２がレセプタクル本体２２に押し付けられる。
【００６０】
（効果）
本実施形態に係る光伝送モジュール１０によれば、レセプタクル２０とプラグ５０とを容易に接続することができる。より詳細には、光伝送モジュール１０では、レセプタクル２０が位置決め部２８を備え、プラグ５０が位置決め部５８を備えている。そして、位置決め部２８と位置決め部５８とが係合することにより、レセプタクル２０とプラグ５０との前後方向及び左右方向における位置決めが行われる。すなわち、発光素子３０及び受光素子３２と光ファイバ１００とが光学的に結合する。この状態で、スライダ５６が第１の位置から第２の位置に移動させられると、圧接面Ｓ１１，Ｓ１２と圧接面Ｓ１３，Ｓ１４とが圧接し、プラグ本体５２がレセプタクル本体２２に押し付けられる。その結果、レセプタクル２０とプラグ５０とが固定される。以上のように、光伝送モジュール１０では、コネクタセット５００のように板ばね５０６及びねじ５０８，５１０を用いることなく、スライダ５６を移動させるだけで、レセプタクル２０とプラグ５０とを固定できる。よって、光伝送モジュール１０によれば、レセプタクル２０とプラグ５０とを容易に接続することができる。
【００６１】
また、光伝送モジュール１０によれば、スライダ５６と光ファイバ１００とが接触することが防止される。より詳細には、スライダ５６は、プラグ本体５２に対して前後方向に移動する。また、光ファイバ１００は、プラグ本体５２から後ろ側に向かって延在している。そのため、スライダ５６の移動方向と光ファイバ１００の延在方向とが一致している。これにより、スライダ５６が光ファイバ１００を横切ることがないので、スライダ５６と光ファイバ１００とが接触することが防止される。
【００６２】
また、光伝送モジュール１０によれば、レセプタクル２０とプラグ５０とをより強固に固定することができる。より詳細には、プラグ本体５２が右側又は左側のいずれか一方のみにおいて下側に押さえつけられると、プラグ５０が前後方向に延在する軸を中心として回転するおそれがある。そこで、光伝送モジュール１０では、レセプタクル本体２２とプラグ本体５２の左側において圧接面Ｓ１１と圧接面Ｓ１３とが圧接し、レセプタクル本体２２とプラグ本体５２の右側において圧接面Ｓ１２と圧接面Ｓ１４とが圧接する。これにより、プラグ本体５２は、左右両側において下側に向けて押さえつけられるようになる。その結果、プラグ５０が回転することが抑制され、レセプタクル２０とプラグ５０とをより強固に固定することができる。
【００６３】
特に、光伝送モジュール１０では、スライダ５６が第２の位置にある場合に、上面Ｓ２１及び対向面Ｓ２２は、上側から見たときに、張り出し部５６ｃと張り出し部５６ｇとの間に位置している。これにより、張り出し部５６ｃ，５６ｇが上面部２６ｂ，２６ｅに押さえつけられる力が効率よくプラグ本体５２に伝達される。そのため、プラグ本体５２がレセプタクル本体２２に押し付けられ、レセプタクル２０とプラグ５０とがより強固に固定されるようになる。
【００６４】
なお、前記実施形態に係る光伝送モジュール１０では、圧接面Ｓ１１，Ｓ１３との組及び圧接面Ｓ１２，Ｓ１４との組の２組によりレセプタクル２０とプラグ５０とを固定しているが、１組の圧接面によりレセプタクル２０とプラグ５０とを固定してもよい。
【００６５】
また、光伝送モジュール１０によれば、前側に行くにしたがって下側に向かうガイド部５６ｄ，５６ｈが設けられている。そのため、スライダ５６が前側に移動させられると、張り出し部５６ｃ，５６ｇがそれぞれガイド部５６ｄ，５６ｈにより上面部２６ｂ，２６ｅの下側に導かれるようになる。よって、スライダ５６をスムーズに移動させることが可能となる。
【００６６】
また、光伝送モジュール１０によれば、レセプタクルカバー２６が回路基板２４から外れることが抑制される。ここで、レセプタクルカバー２６の下面部２６ｃ，２６ｆが回路基板２４の主面Ｓ１に固定された光伝送モジュール１０'を比較対象の実施例とする。なお、比較対象の実施例に係る光伝送モジュール１０'も本願発明のコネクタセットの実施例である。図９Ｂは、実施例に係る光伝送モジュール１０'の断面構造図である。
【００６７】
実施例に係る光伝送モジュール１０'では、図９Ｂに示すように、下面部２６ｃ，２６ｆの下側の面と回路基板２４の主面Ｓ１とが接着剤により固定される。この場合、プラグ５０がレセプタクル２０に接続されると、レセプタクル２０の張り出し部５６ｃ，５６ｇにより、レセプタクルカバー２６が上側に引っぱられる。そのため、下面部２６ｃ，２６ｆの下側の面と回路基板２４の主面Ｓ１とが離れる方向に力を受ける。
【００６８】
一方、光伝送モジュール１０では、図９Ａに示すように、下面部２６ｃ，２６ｆの上側の面と回路基板２４の主面Ｓ２とが接着剤により固定されている。そのため、レセプタクル２０の張り出し部５６ｃ，５６ｇにより、レセプタクルカバー２６が上側に引っぱられたとしても、下面部２６ｃ，２６ｆの上側の面と回路基板２４の主面Ｓ２とが互いに押し付け合う。すなわち、下面部２６ｃ，２６ｆと回路基板２４とが離れる方向に力を受けない。その結果、光伝送モジュール１０によれば、レセプタクルカバー２６と回路基板２４との接続がより強固になる。
【００６９】
また、光伝送モジュール１０によれば、回路基板２４が破損することを抑制できる。より詳細には、レセプタクル２０は、図９Ａに示すように、回路基板８０（第２の基板の一例）に実装される。主面Ｓ２は、回路基板８０と対向する実装面である。このとき、レセプタクルカバー２６の下面部２６ｃ，２６ｆの下側の面は、回路基板８０に対してはんだにより固定される。そのため、レセプタクル２０の張り出し部５６ｃ，５６ｇにより、レセプタクルカバー２６が上側に引っぱられたとしても、下面部２６ｃ，２６ｆの下側の面が半田により強固に回路基板８０に固定されているため、下面部２６ｃ，２６ｆから回路基板２４に大きな力が加わることが抑制される。その結果、回路基板２４が破損することが抑制される。なお、回路基板２４は、比較的に破損しやすいガラス基板２４ａを含んでいるので、光伝送モジュール１０の構成は特に有効である。
【００７０】
また、光伝送モジュール１０によれば、レセプタクル２０とプラグ５０とが正確に位置決めされるようになる。より詳細には、プラグ５０の位置決め部５８は正方形の角に配置された凸部であり、レセプタクル２０の位置決め部２８は位置決め部５８に倣った形状をなす凹部である。したがって、前後方向の位置決めは、主に、位置決め溝２８ａ，２８ｂと位置決め突起５８ａ，５８ｂとの係合により行われる。また、左右方向の位置決めは、主に、位置決め溝２８ｃ，２８ｄと位置決め突起５８ｃ，５８ｄとの係合により行われる。このように、前後方向と左右方向との位置決めが均等に行われるので、レセプタクル２０とプラグ５０とが正確に位置決めされるようになる。
【００７１】
また、光伝送モジュール１０によれば、光路にずれが生じることが抑制される。より詳細には、温度が上昇するとレセプタクル本体２２及びプラグ本体５２が膨張する。レセプタクル本体２２の材料とプラグ本体５２の材料とは異なるので、これらの線膨張係数も異なる。したがって、温度が上昇すると、レセプタクル本体２２の膨張量とプラグ本体５２の膨張量とに差が生じる。このような膨張量の差は、光路にずれが生じる原因となる。
【００７２】
そこで、光伝送モジュール１０では、プラグ５０の位置決め部５８は、前後方向及び左右方向に延在する対角線を有する仮想の正方形の角に配置された凸部であり、レセプタクル２０の位置決め部２８は位置決め部５８に倣った形状をなす凹部である。これにより、位置決め部２８，５８は正方形の中心（対角線の交点）から放射状に膨張するようになる。よって、位置決め部２８，５８の正方形の中心近傍では、レセプタクル２０とプラグ５０とのずれが生じにくい。したがって、位置決め部２８，５８の正方形の中心近傍に光路（すなわち、発光素子３０、受光素子３２及びレンズ３４）が位置すれば、光路にずれが生じることが抑制される。
【００７３】
また、光伝送モジュール１０によれば、高温状態においてレセプタクルカバー２６と回路基板２４との間に生じる応力を低減できる。より詳細には、レセプタクルカバー２６は金属により作製されており、回路基板２４は主にガラス系材料により作製されている。そのため、これらの線膨張係数は大きく異なり、高温時にレセプタクルカバー２６の膨張量と回路基板２４の膨張量とに大きな差が生じやすい。すなわち、レセプタクルカバー２６と回路基板２４との間に大きな応力が生じやすい。そこで、光伝送モジュール１０では、レセプタクルカバー２６と回路基板２４とは、シリコン系接着剤等の硬度の低い接着剤により固定されている。これにより、接着剤が変形することで、レセプタクルカバー２６と回路基板２４との間に大きな応力が生じることが抑制される。
【００７４】
（第１の変形例）
以下に、第１の変形例に係るプラグ５０ａについて図面を参照しながら説明する。図１０は、プラグ５０ａの外観斜視図である。
【００７５】
プラグ５０ａは、ガイド部５６ｄ，５６ｈを備えていない点において、プラグ５０と相違する。プラグ５０ａのその他の点は、プラグ５０と同じであるので説明を省略する。
【００７６】
（第２の変形例）
以下に、第２の変形例に係る光伝送モジュール１０ａについて図面を参照しながら説明する。図１１は、光伝送モジュール１０ａの断面構造図である。
【００７７】
光伝送モジュール１０ａは、レセプタクルカバー２６及びスライダ５６の構成において光伝送モジュール１０と相違する。以下に、かかる相違点を中心に光伝送モジュール１０ａについて説明する。
【００７８】
光伝送モジュール１０では、スライダ５６の張り出し部５６ｃ，５６ｇは、内側から上面部２６ｂ，２６ｅの下側に進入している。一方、光伝送モジュール１０ａでは、スライダ５６の張り出し部５６ｃ，５６ｇは、外側から上面部２６ｂ，２６ｅの下側に進入している。このような構成を有する光伝送モジュール１０ａも、光伝送モジュール１０と同じ作用効果を奏することができる。
【００７９】
（その他の実施形態）
本発明に係るコネクタセットは、光伝送モジュール１０，１０ａに限らず、その要旨の範囲内において変更可能である。
【００８０】
なお、光伝送モジュール１０，１０ａ及びプラグ５０ａの構成を任意に組み合わせてもよい。
【００８１】
また、位置決め部２８，５８は、光伝送モジュール１０に示したものに限らない。位置決め部２８が突起であり、位置決め部５８が溝であってもよい。また、位置決め部２８が突起及び溝からなり、位置決め部５８が突起及び溝からなっていてもよい。
【００８２】
また、レセプタクル２０とプラグ５０との構成が入れ替わっていてもよい。すなわち、光伝送モジュール１０，１０ａでは、プラグ５０がスライダ５６を有しているが、レセプタクル２０がスライダを有していてもよい。
【００８３】
なお、圧接面Ｓ１１〜Ｓ１４は、面であるとしたが、突起のような点であってもよい。
【００８４】
なお、スライダ５６は、水平面内において前後方向に移動しているが、例えば、前側に移動しながら上昇又は下降してもよい。また、スライダ５６を異なる方向に移動することで、レセプタクル２０とプラグ５０とを固定するようにしてもよい。
【産業上の利用可能性】
【００８５】
以上のように、本発明は、コネクタセット及びコネクタセットの組み立て方法に有用であり、より詳細には、第１のコネクタと第２のコネクタとを容易に接続することができる点において優れている。
【符号の説明】
【００８６】
１０，１０'，１０ａ：光伝送モジュール
２０：レセプタクル
２２：レセプタクル本体
２４，８０：回路基板
２４ａ：ガラス基板
２４ｂ：樹脂モールド
２６：レセプタクルカバー
２８，５８：位置決め部
２８ａ〜２８ｄ：位置決め溝
３０：発光素子
３２：受光素子
５０，５０ａ：プラグ
５２：プラグ本体
５４：プラグカバー
５６：スライダ
５６ｃ，５６ｇ：張り出し部
５６ｄ，５６ｈ：ガイド部
５８ａ〜５８ｄ：位置決め突起
１００：光ファイバ
Ｓ１，Ｓ２：主面
Ｓ１１〜Ｓ１４：圧接面
Ｓ２：主面
Ｓ２１：上面
Ｓ２２：対向面
【図１】
2017082109.tif 000003
【図２】
2017082109.tif 000004
【図３Ａ】
2017082109.tif 000005
【図３Ｂ】
2017082109.tif 000006
【図４Ａ】
2017082109.tif 000007
【図４Ｂ】
2017082109.tif 000008
【図５】
2017082109.tif 000009
【図６】
2017082109.tif 000010
【図７】
2017082109.tif 000011
【図８】
2017082109.tif 000012
【図９Ａ】
2017082109.tif 000013
【図９Ｂ】
2017082109.tif 000014
【図１０】
2017082109.tif 000015
【図１１】
2017082109.tif 000016
【図１２】
2017082109.tif 000017
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
光ファイバと光素子とを光学的に結合させるための第１のコネクタ及び第２のコネクタを備えたコネクタセットであって、
前記第２のコネクタが前記第１のコネクタに対して接続方向の一方側から接触しており、
前記第１のコネクタは、
第１の位置決め部を有する第１の本体と、
前記第１の本体に対する相対的な位置が固定されている第１の保持部材であって、前記接続方向の他方側を向く第１の圧接部を有する第１の保持部材と、
前記接続方向の一方側を向く第１の主面及び該接続方向の他方側を向く第２の主面を有する第１の基板と、
を含んでおり、
前記第２のコネクタは、
第２の位置決め部を有する第２の本体と、
前記接続方向に直交するスライド方向に並ぶ第１の位置と第２の位置との間を前記第２の本体に対して移動可能に構成されている第２の保持部材であって、前記接続方向の一方側を向く第２の圧接部を有する第２の保持部材と、
を含んでおり、
前記第１の位置決め部と前記第２の位置決め部とは、互いに係合することにより前記第１のコネクタと前記第２のコネクタとの前記接続方向に直交する方向における位置決めを行い、
前記第２の保持部材が前記第１の位置にある場合には、前記第１の圧接部と前記第２の圧接部とが接触しておらず、
前記第２の保持部材が前記第２の位置にある場合には、前記第１の圧接部と前記第２の圧接部とが圧接し、
前記第１の本体は、前記第１の主面上に設けられており、
前記第１の保持部材は、前記第１の基板に固定されることにより、前記第１の本体に対する相対的な位置が固定されていること、
を特徴とするコネクタセット。
【請求項２】
前記第１のコネクタは、
前記第１の主面上に実装され、発光又は受光する前記光素子を、
更に備えており、
前記第１の本体は、前記光素子を覆っており、
前記第２のコネクタには、前記光ファイバが接続されていること、
を特徴とする請求項１に記載のコネクタセット。
【請求項３】
前記接続方向及び前記スライド方向に直交する方向を幅方向と定義し、
前記第１の保持部材は、前記第１の本体よりも前記幅方向の一方側に位置し、かつ、前記第１の基板から前記接続方向の一方側に向かって延在する第１の支持部、及び、該第１の本体よりも該幅方向の一方側であって、かつ、前記第１の基板に対して該接続方向の一方側に位置し、該第１の支持部から前記幅方向の他方側に向かって延在する第１のスプリング部を有しており、
前記第１の圧接部は、前記第１のスプリング部における前記接続方向の他方側を向く面であり、
前記第２の保持部材は、前記第２の本体から前記幅方向の一方側に向かって延在する第２のスプリング部を有しており、
前記第２の圧接部は、前記第２のスプリング部における前記接続方向の一方側を向く面であること、
を特徴とする請求項２に記載のコネクタセット。
【請求項４】
前記光ファイバは、前記スライド方向に沿って延在していること、
を特徴とする請求項３に記載のコネクタセット。
【請求項５】
前記第１の保持部材は、前記接続方向の他方側を向く第３の圧接部を更に有しており、
前記第２の保持部材は、前記接続方向の一方側を向く第４の圧接部を更に有しており、
前記第２の保持部材が前記第１の位置にある場合には、前記第３の圧接部と前記第４の圧接部とが接触しておらず、
前記第２の保持部材が前記第２の位置にある場合には、前記第３の圧接部と前記第４の圧接部とが圧接し、
前記第１の保持部材は、前記第１の本体よりも前記幅方向の他方側に位置し、かつ、前記第１の基板から前記接続方向の一方側に向かって延在する第２の支持部、及び、該第１の本体よりも該幅方向の他方側であって、かつ、前記第１の基板に対して該接続方向の一方側に位置し、該第２の支持部から前記幅方向の一方側に向かって延在する第３のスプリング部を有しており、
前記第３の圧接部は、前記第３のスプリング部における前記接続方向の他方側を向く面であり、
前記第２の保持部材は、前記第２の本体から前記幅方向の他方側に向かって延在する第４のスプリング部を有しており、
前記第４の圧接部は、前記第４のスプリング部における前記接続方向の一方側を向く面であること、
を特徴とする請求項３又は請求項４のいずれかに記載のコネクタセット。
【請求項６】
前記第２の位置は、前記第１の位置に対して前記スライド方向の一方側に位置しており、
前記第２の保持部材は、前記第２のスプリング部における前記スライド方向の一方側の端部に設けられ、前記接続方向の他方側に向かって傾斜しているガイド部を更に有していること、
を特徴とする請求項３ないし請求項５のいずれかに記載のコネクタセット。
【請求項７】
前記第１の本体は、前記接続方向の一方側を向く第１の対向面を有し、
前記第２の本体は、前記接続方向の他方側を向く第２の対向面を有し、
前記第１の対向面と前記第２の対向面とは対向し、
前記第２の保持部材が前記第２の位置にある場合に、前記第１の対向面及び前記第２の対向面は、前記接続方向から見たときに、前記第１のスプリング部及び前記第３のスプリング部の間に位置していること、
を特徴とする請求項５に記載のコネクタセット。
【請求項８】
前記第１の保持部材は、前記第１の本体よりも前記幅方向の一方側に位置し、かつ、前記第１の支持部から該幅方向の他方側に向かって延在する第１の固定部を更に有しており、
前記第１の固定部は、前記第２の主面に固定されていること、
を特徴とする請求項３ないし請求項７のいずれかに記載のコネクタセット。
【請求項９】
前記第１のコネクタは、第２の基板に実装され、
前記第２の主面は、前記第２の基板への実装面であること、
を特徴とする請求項８に記載のコネクタセット。
【請求項１０】
前記第１の位置決め部又は前記第２の位置決め部の一方は、前記接続方向から見たときに、仮想の正方形の角に配置された凸部であり、
前記第１の位置決め部又は前記第２の位置決め部の他方は、前記接続方向から見たときに、前記凸部に倣った形状をなす凹部であること、
を特徴とする請求項１ないし請求項９のいずれかに記載のコネクタセット。
【請求項１１】
請求項１ないし請求項１０のいずれかに記載のコネクタセットの組み立て方法であって、
前記第１の位置決め部と前記第２の位置決め部とを係合させる第１のステップと、
前記第２の保持部材を前記第１の位置から前記第２の位置へと移動させる第２のステップと、
を備えていること、
を特徴とするコネクタセットの組み立て方法。
【手続補正２】
【補正対象書類名】明細書
【補正対象項目名】０００８
【補正方法】変更
【補正の内容】
【０００８】
本発明の一形態に係るコネクタセットは、光ファイバと光素子とを光学的に結合させるための第１のコネクタ及び第２のコネクタを備えたコネクタセットであって、前記第２のコネクタが前記第１のコネクタに対して接続方向の一方側から接触しており、前記第１のコネクタは、第１の位置決め部を有する第１の本体と、前記第１の本体に対する相対的な位置が固定されている第１の保持部材であって、前記接続方向の他方側を向く第１の圧接部を有する第１の保持部材と、前記接続方向の一方側を向く第１の主面及び該接続方向の他方側を向く第２の主面を有する第１の基板と、を含んでおり、前記第２のコネクタは、第２の位置決め部を有する第２の本体と、前記接続方向に直交するスライド方向に並ぶ第１の位置と第２の位置との間を前記第２の本体に対して移動可能に構成されている第２の保持部材であって、前記接続方向の一方側を向く第２の圧接部を有する第２の保持部材と、を含んでおり、前記第１の位置決め部と前記第２の位置決め部とは、互いに係合することにより前記第１のコネクタと前記第２のコネクタとの前記接続方向に直交する方向における位置決めを行い、前記第２の保持部材が前記第１の位置にある場合には、前記第１の圧接部と前記第２の圧接部とが接触しておらず、前記第２の保持部材が前記第２の位置にある場合には、前記第１の圧接部と前記第２の圧接部とが圧接し、前記第１の本体は、前記第１の主面上に設けられており、前記第１の保持部材は、前記第１の基板に固定されることにより、前記第１の本体に対する相対的な位置が固定されていること、を特徴とする。
【国際調査報告】
2017082109.tif 000018
2017082109.tif 000019
2017082109.tif 000020
2017082109.tif 000021